(57)【要約】【課題】回路基板に対して複数のコネクタが互いに隣接して並列配置される場合であっても、複数のコネクタのそれぞれにフレキシブルプリント基板が適正に接続されているか否かを容易に確認することができる仕組みを提供する。【解決手段】電子機器は、回路基板１００と、回路基板１００に実装され、ＦＰＣ１０１が接続されるコネクタ２０１と、コネクタ２０１に対して、ＦＰＣ１０１の接続方向に隣接して回路基板１００に実装され、ＦＰＣ１０２がコネクタ２０１を覆うようにして接続されるコネクタ２０２と、を備える。ＦＰＣ１０１の先端部には、第１の目印１１１ａが設けられ、ＦＰＣ１０の先端部には、第２の目印１０４ａが設けられる。第１の目印１１１ａ、及び第２の目印１０４ａは、コネクタ２０１にＦＰＣ１０１が接続され、かつコネクタ２０２にＦＰＣ１０２が接続されたとき、予め定めた位置関係となるように形成される。【選択図】図５
2015018999.tif 000002
【特許請求の範囲】
【請求項１】
回路基板と、
前記回路基板に実装され、第１のフレキシブルプリント基板が接続される第１のコネクタと、
前記第１のコネクタに対して、前記第１のフレキシブルプリント基板の接続方向に隣接して前記回路基板に実装され、第２のフレキシブルプリント基板が前記第１のコネクタを覆うようにして接続される第２のコネクタと、を備え、
前記第１のフレキシブルプリント基板の先端部には、第１の目印が設けられ、前記第２のフレキシブルプリント基板の先端部には、第２の目印が設けられ、
前記第１の目印、及び前記第２の目印は、前記第１のコネクタに前記第１のフレキシブルプリント基板が接続され、かつ前記第２のコネクタに前記第２のフレキシブルプリント基板が接続されたとき、予め定めた位置関係となるように形成されることを特徴とする電子機器。
【請求項２】
前記第１の目印、及び前記第２の目印は、高さが同じ凸形状部であることを特徴とする請求項１に記載の電子機器。
【請求項３】
前記第１の目印、及び前記第２の目印は、互いに大きさの異なる孔であり、前記第２の目印は、第１の目印より大きく形成されることを特徴とする請求項１に記載の電子機器。
【請求項４】
前記第１の目印、及び前記第２の目印は、それぞれ丸孔であることを特徴とする請求項３に記載の電子機器。
【請求項５】
第１の目印は、丸孔であり、前記第２の目印は、角孔であることを特徴とする請求項３に記載の電子機器。
【請求項６】
第１の目印は、凸形状部であり、前記第２の目印は、前記凸形状部が配置される凹形状部であることを特徴とする請求項１に記載の電子機器。
【発明の詳細な説明】
【技術分野】
【０００１】
本発明は、例えばデジタルカメラ等の電子機器に関し、特にフレキシブルプリント基板とコネクタとの接続構造の改良に関する。
【背景技術】
【０００２】
デジタルカメラ等の電子機器では、近年の多機能かつ小型化の要請に伴い、回路基板における電子部品の実装スペースが縮小している。従来、縮小した実装スペースを効率的に活用するために、回路基板に対して複数のコネクタをフレキシブルプリント基板の接続方向に沿って互いに隣接して並列配置する技術が提案されている（特許文献１）。
【０００３】
一方、コネクタに対するフレキシブルプリント基板の挿入量や挿入方向を確認するための目印を基板先端部に形成して、フレキシブルプリント基板がコネクタに適正に接続されているか否かを確認する技術が提案されている（特許文献２）。
【先行技術文献】
【特許文献】
【０００４】
【特許文献１】特開２００３−６９１８０号公報
【特許文献２】特開２０００−２５２５９８号公報
【発明の概要】
【発明が解決しようとする課題】
【０００５】
しかし、上記特許文献１では、複数のコネクタのうちのいずれか一方のコネクタにフレキシブルプリント基板を接続すると、接続されたフレキシブルプリント基板によって他方のコネクタが隠れてしまう。この場合、上記特許文献２のように、フレキシブルプリント基板の先端部に目印を形成しても、フレキシブルプリント基板が他方のコネクタに適正に接続されているか否かを確認することが困難となる。また、複数のコネクタにそれぞれフレキシブルプリント基板が適正に接続されていない状態で機器の組立工程が進んでしまうと、接続不良が発見された後のリカバリー作業に無駄な時間を要することになる。
【０００６】
そこで、本発明は、回路基板に対して複数のコネクタが互いに隣接して並列配置される場合であっても、複数のコネクタのそれぞれにフレキシブルプリント基板が適正に接続されているか否かを容易に確認することができる仕組みを提供することを目的とする。
【課題を解決するための手段】
【０００７】
上記目的を達成するために、本発明の電子機器は、回路基板と、前記回路基板に実装され、第１のフレキシブルプリント基板が接続される第１のコネクタと、前記第１のコネクタに対して、前記第１のフレキシブルプリント基板の接続方向に隣接して前記回路基板に実装され、第２のフレキシブルプリント基板が前記第１のコネクタを覆うようにして接続される第２のコネクタと、を備え、前記第１のフレキシブルプリント基板の先端部には、第１の目印が設けられ、前記第２のフレキシブルプリント基板の先端部には、第２の目印が設けられ、前記第１の目印、及び前記第２の目印は、前記第１のコネクタに前記第１のフレキシブルプリント基板が接続され、かつ前記第２のコネクタに前記第２のフレキシブルプリント基板が接続されたとき、予め定めた位置関係となるように形成されることを特徴とする。
【発明の効果】
【０００８】
本発明によれば、回路基板に対して複数のコネクタを互いに隣接して並列配置した場合であっても、複数のコネクタのそれぞれにフレキシブルプリント基板が適正に接続されているか否かを容易に確認することができる。
【図面の簡単な説明】
【０００９】
【図１】本発明の電子機器の第１の実施形態であるデジタルカメラの外装カバーを取り外した状態を示す斜視図である。
【図２】（ａ）は図１に示すデジタルカメラの部分平面図、（ｂ）は（ａ）のＡ−Ａ線断面図である。
【図３】（ａ）はフレキシブルプリント基板の先端部の平面図、（ｂ）は（ａ）を裏面側から見た図である。
【図４】（ａ）はフレキシブルプリント基板の先端部の平面図、（ｂ）は（ａ）を裏面側から見た図である。
【図５】フレキシブルプリント基板がコネクタに適正に接続されている状態を示す図である。
【図６】フレキシブルプリント基板がコネクタに適正に接続されているか否かを説明するための図である。
【図７】フレキシブルプリント基板がコネクタに適正に接続されているか否かを説明するための図である。
【図８】フレキシブルプリント基板がコネクタに適正に接続されているか否かを説明するための図である。
【図９】本発明の電子機器の第２の実施形態であるデジタルカメラにおいて、フレキシブルプリント基板がコネクタに適正に接続されている状態を示す図である。
【図１０】フレキシブルプリント基板がコネクタに適正に接続されているか否かを説明するための図である。
【図１１】フレキシブルプリント基板がコネクタに適正に接続されているか否かを説明するための図である。
【図１２】フレキシブルプリント基板がコネクタに適正に接続されているか否かを説明するための図である。
【図１３】本発明の電子機器の第３の実施形態であるデジタルカメラにおいて、フレキシブルプリント基板がコネクタに適正に接続されている状態を示す図である。
【図１４】本発明の電子機器の第４の実施形態であるデジタルカメラにおいて、フレキシブルプリント基板がコネクタに適正に接続されている状態を示す図である。
【図１５】本発明の電子機器の第５の実施形態であるデジタルカメラにおいて、フレキシブルプリント基板がコネクタに適正に接続されている状態を示す図である。
【発明を実施するための形態】
【００１０】
以下、本発明の実施形態を説明する。
【００１１】
（第１の実施形態）
図１は、本発明の電子機器の第１の実施形態であるデジタルカメラの外装カバーを取り外した状態を示す斜視図である。図２（ａ）は図１に示すデジタルカメラの部分平面図、図２（ｂ）は図２（ａ）のＡ−Ａ線断面図である。
【００１２】
図１及び図２に示すように、本実施形態のデジタルカメラ１は、被写体側にプリント基板からなる回路基板１００が配置されている。回路基板１００には、フレキシブルプリント基板（以下、ＦＰＣという。）１０１，１０２が接続されるコネクタ２０１，２０２が実装されている。
【００１３】
ここで、コネクタ２０１は、本発明の第１のコネクタの一例に相当し、コネクタ２０２は、本発明の第２のコネクタの一例に相当する。また、ＦＰＣ１０１は、本発明の第１のフレキシブルプリント基板の一例に相当し、ＦＰＣ１０２は、本発明の第２のフレキシブルプリント基板の一例に相当する。
【００１４】
コネクタ２０１，２０２は、ＦＰＣ１０１，１０２の接続方向に沿って互いに隣接して並列配置されている。コネクタ２０２の接続口２０８は、コネクタ２０１の接続口２０７の背面側に対向配置され、接続口２０７より高い位置に配置される。
【００１５】
ＦＰＣ１０１は、鏡筒ユニット２００を構成する不図示の撮像素子を制御する信号を伝送し、ＦＰＣ１０２は、鏡筒ユニット２００を構成する不図示のレンズを駆動するアクチュエータを制御する信号を伝送する。ＦＰＣ１０１，１０２は、鏡筒ユニット２００から延出され、コネクタ２０１，２０２を介して回路基板１００に実装されたＣＰＵ１００ａに接続される。ＣＰＵ１００ａは、ＦＰＣ１０１，１０２からの伝送信号を処理し、撮像素子およびアクチュエータを制御する。
【００１６】
コネクタ２０１には、ロック部材２０３がロック解除位置とロック位置とで回動可能に支持されている。ＦＰＣ１０１をコネクタ２０１に接続する際には、ロック部材２０３をロック解除位置まで回動操作してコネクタ２０１のロックを解除し、ＦＰＣ１０１の先端部をコネクタ２０１の接続口２０７に挿入し、ロック部材２０３をロック位置まで回動操作する。これにより、ＦＰＣ１０１は、コネクタ２０１に固定され、回路基板１００と電気的に接続される。
【００１７】
また、コネクタ２０２にも同様に、ロック部材２０４がロック解除位置とロック位置とで回動可能に支持されている。ＦＰＣ１０２をコネクタ２０２に接続する際には、ロック部材２０４をロック解除位置まで回動操作してコネクタ２０２のロックを解除し、ＦＰＣ１０２の先端部をコネクタ２０２の接続口２０８に挿入し、ロック部材２０４をロック位置まで回動操作する。これにより、ＦＰＣ１０２は、コネクタ２０２に固定され、回路基板１００と電気的に接続される。
【００１８】
コネクタ２０２にＦＰＣ１０２を接続した状態では、コネクタ２０２の接続口２０８がコネクタ２０１の接続口２０７の背面側に対向するように配置されるため、ＦＰＣ１０１及びコネクタ２０１は、ＦＰＣ１０２により覆われる。
【００１９】
図３（ａ）はＦＰＣ１０１の先端部の平面図、図３（ｂ）は図３（ａ）を裏面側から見た図である。図４（ａ）はＦＰＣ１０２の先端部の平面図、図４（ｂ）は図４（ａ）を裏面側から見た図である。
【００２０】
図３に示すように、ＦＰＣ１０１は、ポリエステルフイルムやポリイミドフイルム等の可撓性と絶縁性とを有するベースフィルム１０３に複数本の配線パターン１０５が形成される。ベースフィルム１０３に形成された配線パターン１０５は、塗布や貼付等によりカバーフィルム１０７で覆われる。
【００２１】
また、図４に示すように、ＦＰＣ１０２も同様に、ポリエステルフイルムやポリイミドフイルム等の可撓性と絶縁性とを有するベースフィルム１０４に複数本の配線パターン１０６が形成される。ベースフィルム１０４に形成された配線パターン１０６は、塗布や貼付等によりカバーフィルム１０８で覆われる。
【００２２】
ベースフィルム１０３，１０４及びカバーフィルム１０７，１０８は、ＦＰＣ１０１，１０２の絶縁層を構成する。各配線パターン１０５，１０６は、ＦＰＣ１０１，１０２のコネクタ２０１，２０２に対する接続側端部において、カバーフィルム１０７，１０８が開口されて外部に露出される。そして、外部に露出された各配線パターン１０５，１０６には、メッキなどの表面処理を施され、これにより、ＦＰＣ１０１，１０２のコネクタ２０１，２０２に対する接続側端部に端子部１０９，１１０が形成される。
【００２３】
ＦＰＣ１０１，１０２の端子部１０９，１１０の裏面には、図３（ｂ）及び図４（ｂ）に示すように、補強板１１１，１１２が取り付けられている。補強板１１１，１１２は、ＦＰＣ１０１，１０２のコネクタ２０１，２０２への挿入作業性を良くし、コネクタ２０１，２０２の接触片による接点部の接続信頼性を高めるためのものである。
【００２４】
また、ＦＰＣ１０１のコネクタ２０１に対する接続側端部及び補強板１１１の幅方向両側には、それぞれ凸形状部１１１ａが幅方向外方に突出して設けられている。また、ＦＰＣ１０２のコネクタ２０１に対する接続側端部の補強板１１２近傍の幅方向両側には、それぞれＦＰＣ１０２のコネクタ２０１への接続方向に互いに離間する一対の凸形状部１０４ａが幅方向外方に突出して設けられている。ここで、凸形状部１１１ａは、本発明の第１の目印の一例に相当し、凸形状部１０４ａは、本発明の第２の目印の一例に相当する。
【００２５】
図５（ａ）はＦＰＣ１０１がコネクタ２０１に適正に接続されている状態を示す図、図５（ｂ）はＦＰＣ１０１，１０２がコネクタ２０１，２０２に適正に接続されている状態を示す図である。
【００２６】
図５に示すように、ＦＰＣ１０１がコネクタ２０１に適正に接続され、かつＦＰＣ１０２がコネクタ２０２に適正に接続された状態においては、ＦＰＣ１０１の凸形状部１１１ａは、ＦＰＣ１０２の一対の凸形状部１０４ａの間の略中心に配置される。また、凸形状部１１１ａの先端部と一対の凸形状部１０４ａの先端部とが、略一致するように配置される。即ち、凸形状部１１１ａ及び一対の凸形状部１０４ａは、互いに突出高さが略一致するように形成されている。ここでの凸形状部１１１ａと一対の凸形状部１０４ａとの位置関係は、本発明の予め定めた位置関係の一例に相当する。
【００２７】
図６（ａ）はＦＰＣ１０１，１０２がそれぞれに対応するコネクタ２０１，２０２に適正に接続されている状態を示す図、図６（ｂ）はＦＰＣ１０１，１０２のうちＦＰＣ１０１のみがコネクタ２０１に対して斜めに挿入されている状態を示す図である。
【００２８】
図７（ａ）はＦＰＣ１０１，１０２のうちＦＰＣ１０２のみがコネクタ２０２に対して斜めに挿入されている状態を示す図、図７（ｂ）はＦＰＣ１０１，１０２が共にコネクタ２０１，２０２に対して略同じ角度で斜めに挿入されている状態を示す図である。
【００２９】
図８（ａ）はＦＰＣ１０１，１０２のうちＦＰＣ１０１のみがコネクタ２０１に対して挿入不十分である状態を示す図、８（ｂ））はＦＰＣ１０１，１０２がコネクタ２０１，２０２に対して互いに異なる角度で斜めに挿入されている状態を示す図である。
【００３０】
図６（ａ）に示すように、ＦＰＣ１０１，１０２がコネクタ２０１，２０２に対して適正に接続されている状態では、上述したように、凸形状部１１１ａと一対の凸形状部１０４ａの高さが揃い、凸形状部１１１ａが一対の凸形状部１０４ａ間の略中心に位置する。
【００３１】
一方、図６（ｂ）乃至図８に示すように、コネクタ２０１，２０２に対してＦＰＣ１０１，１０２の少なくとも一方が適正に接続されていない場合は、凸形状部１１１ａと一対の凸形状部１０４ａの高さが揃わないことになる。また、凸形状部１１１ａが一対の凸形状部１０４ａ間の中心からずれてしまう。
【００３２】
即ち、コネクタ２０１及びＦＰＣ１０１がＦＰＣ１０２に覆われて見えなくても、凸形状部１１１ａと凸形状部１０４ａの位置関係を確認することで、ＦＰＣ１０１，１０２がコネクタ２０１，２０２に適正に接続されているか否かを容易に確認することができる。
【００３３】
以上のように、本実施形態では、回路基板１００に対して複数のコネクタ２０１，２０２が互いに隣接して並列配置される場合でも、複数のコネクタ２０１，２０２のそれぞれにＦＰＣ１０１，１０２が適正に接続されているか否かを容易に確認することができる。
【００３４】
（第２の実施形態）
次に、図９乃至図１２を参照して、本発明の電子機器の第２の実施形態であるデジタルカメラについて説明する。なお、上記第１の実施形態に対して重複又は相当する部分については、符号を流用しつつ相違点についてのみ説明する。
【００３５】
図９（ａ）はＦＰＣ１０１がコネクタ２０１に適正に接続されている状態を示す図、図９（ｂ）はＦＰＣ１０１，１０２がそれぞれに対応するコネクタ２０１，２０２に適正に接続されている状態を示す図である。
【００３６】
図９に示すように、ＦＰＣ１０１には、補強板１１１、ベースフィルム１０３、及びカバーフィルム１０７（図３参照）を貫通する丸孔部３１１ａが形成されている。また、ＦＰＣ１０２の補強板１１２近傍には、丸孔部３１１ａより大径の丸孔部３０４ａがベースフィルム１０４、及びカバーフィルム１０８（図４参照）を貫通して形成されている。
【００３７】
ＦＰＣ１０１，１０２がそれぞれに対応するコネクタ２０１，２０２に適正に接続された状態においては、丸孔部３０４ａと丸孔部３１１ａとは互いに中心が略一致し、同心円に見える。
【００３８】
図１０（ａ）はＦＰＣ１０１，１０２がそれぞれに対応するコネクタ２０１，２０２に適正に接続されている状態を示す図、図１０（ｂ）はＦＰＣ１０１，１０２のうちＦＰＣ１０１のみがコネクタ２０１に対して斜めに挿入されている状態を示す図である。
【００３９】
図１１（ｂ）はＦＰＣ１０１，１０２のうちＦＰＣ１０２のみがコネクタ２０２に対して斜めに挿入されている状態を示す図、図１１（ｂ）はＦＰＣ１０１，１０２共にコネクタ２０１，２０２に対して略同じ角度で斜めに挿入されている状態を示す図である。
【００４０】
図１２（ａ）はＦＰＣ１０１，１０２のうちＦＰＣ１０１のみがコネクタ２０１に対して挿入不十分である状態を示す図、図１２（ｂ）はＦＰＣ１０１，１０２がコネクタ２０１，２０２に対して互いに異なる角度で斜めに挿入されている状態を示す図である。
【００４１】
図１０（ａ）に示すように、ＦＰＣ１０１，１０２がそれぞれに対応するコネクタ２０１，２０２に適正に接続されている状態では、丸孔部３１１ａと丸孔部３０４ａの中心は略一致する。
【００４２】
一方、図１０（ｂ）乃至図１２に示すように、コネクタ２０１，２０２に対してＦＰＣ１０１，１０２の少なくとも一方が斜めに挿入されていたり、挿入不十分である場合は、丸孔部３１１ａと丸孔部３０４ａの中心位置がずれてしまう。
【００４３】
従って、コネクタ２０１及びＦＰＣ１０１がＦＰＣ１０２に覆われて見えなくても、丸孔部３１１ａと丸孔部３０４ａの位置関係を確認することで、ＦＰＣ１０１，１０２がコネクタ２０１，２０２に適正に接続されているか否かを容易に確認することができる。その他の構成、及び作用効果は、上記第１の実施形態と同様である。
【００４４】
（第３の実施形態）
次に、図１３を参照して、本発明の電子機器の第３の実施形態であるデジタルカメラについて説明する。なお、上記第１の実施形態に対して重複又は相当する部分については、符号を流用しつつ相違点についてのみ説明する。
【００４５】
図１３（ａ）はＦＰＣ１０１がコネクタ２０１に対して適正に接続されている状態を示す図、図１３（ｂ）はＦＰＣ１０１，１０２がそれぞれコネクタ２０１，２０２に適正に接続されている状態を示す図である。
【００４６】
図１３に示すように、ＦＰＣ１０１には、補強板１１１、ベースフィルム１０３、及びカバーフィルム１０７（図３参照）を貫通する丸孔部５１１ａが形成されている。また、ＦＰＣ１０２の補強板１１２近傍には、丸孔部５１１ａより大きい角孔部５０４ａがベースフィルム１０４、及びカバーフィルム１０８（図４参照）を貫通して形成されている。
【００４７】
ＦＰＣ１０１，１０２がそれぞれに対応するコネクタ２０１，２０２に適正に接続された状態においては、角孔部５０４ａと丸孔部５１１ａとは互いに中心が略一致する。従って、コネクタ２０１及びＦＰＣ１０１がＦＰＣ１０２に覆われて見えなくても、丸孔部５１１ａと角孔部５０４ａの中心位置を確認することにより、ＦＰＣ１０１，１０２がコネクタ２０１，２０２に適正に接続されているか否かを容易に確認することができる。その他の構成、及び作用効果は、上記第１の実施形態と同様である。
【００４８】
（第４の実施形態）
次に、図１４を参照して、本発明の電子機器の第４の実施形態であるデジタルカメラについて説明する。なお、上記第１の実施形態に対して重複又は相当する部分については、符号を流用しつつ相違点についてのみ説明する。
【００４９】
図１４（ａ）はＦＰＣ１０１がコネクタ２０１に対して適正に接続されている状態を示す図、図１４（ｂ）はＦＰＣ１０１，１０２がコネクタ２０１，２０２に対して適正に接続されている状態を示す図である。
【００５０】
図１４に示すように、ＦＰＣ１０１の補強板１１１の幅方向の両側には、補強板１１１のＦＰＣ１０１の接続方向の両側を切り欠いて形成した凸形状部７１１ａがそれぞれ設けられる。一方、ＦＰＣ１０２の補強板１１２近傍の幅方向両側には、凹形状部７０４ａがそれぞれ形成されている。そして、ＦＰＣ１０１，１０２がコネクタ２０１，２０２に対して適正に接続されている状態においては、凹形状部７０４ａの中央に凸形状部７１１ａが配置される。従って、コネクタ２０１及びＦＰＣ１０１がＦＰＣ１０２に覆われて見えなくても、凸形状部７１１ａと凹部７０４ａとの位置関係を確認することで、ＦＰＣ１０１，１０２がコネクタ２０１，２０２に適正に接続されているか否かを容易に確認することができる。その他の構成、及び作用効果は、上記第１の実施形態と同様である。
【００５１】
（第５の実施形態）
次に、図１５を参照して、本発明の電子機器の第５の実施形態であるデジタルカメラについて説明する。なお、上記第１の実施形態に対して重複又は相当する部分については、符号を流用しつつ相違点についてのみ説明する。
【００５２】
図１５（ａ）は、ＦＰＣ１０１がコネクタ２０１に対して適正に接続されている状態を示す図である。図１５（ｂ）は、ＦＰＣ１０１がコネクタ２０１に適正に接続され、かつＦＰＣ１０２に実装されたＢｔｏＢコネクタ８５２ｂが回路基板１００に実装されたＢｔｏＢコネクタ８５２ａに適正に接続されている状態を示す図である。
【００５３】
本実施形態では、上記第１の実施形態に対して、ＦＰＣ１０２が幅広に形成され、その先端部に端子部１１０（図４参照）に代えて、ＢｔｏＢコネクタ８５２ｂが実装されている。また、回路基板１００には、コネクタ２０２に代えて、ＢｔｏＢコネクタ８５２ａが実装されている。
【００５４】
図１５に示すように、ＦＰＣ１０１には、補強板１１１、ベースフィルム１０３、及びカバーフィルム１０７（図３参照）を貫通する丸孔部７６１ａが形成されている。また、ＦＰＣ１０２の補強板１１２近傍には、丸孔部７６１ａより大径の丸孔部７５４ａがベースフィルム１０４、及びカバーフィルム１０８（図４参照）を貫通して形成されている。
【００５５】
図１５（ｂ）に示すように、ＦＰＣ１０１がコネクタ２０１に適正に接続され、かつＦＰＣ１０２のＢｔｏＢコネクタ８５２ｂが回路基板１００のＢｔｏＢコネクタ８５２ａに適正に接続されている状態では、丸孔部７６１ａと丸孔部７５４ａの中心は略一致する。
【００５６】
従って、コネクタ２０１及びＦＰＣ１０１がＦＰＣ１０２に覆われて見えなくても、丸孔部７５１ａと丸孔部７５４ａの位置関係を確認することで、ＦＰＣ１０１，１０２がコネクタ２０１，８５２ａに適正に接続されているか否かを容易に確認することができる。その他の構成、及び作用効果は、上記第１の実施形態と同様である。
【００５７】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５８】
１００  回路基板
１０１，１０２  ＦＰＣ
１０３，１０４  ベースフィルム
１０４ａ  凸形状部
１０７，１０８  カバーフィルム
１０９，１１０  端子部
１１１，１１２  補強板
１１１ａ  凸形状部
２０１，２０２  コネクタ
【図１】
2015018999.tif 000003
【図２】
2015018999.tif 000004
【図３】
2015018999.tif 000005
【図４】
2015018999.tif 000006
【図５】
2015018999.tif 000007
【図６】
2015018999.tif 000008
【図７】
2015018999.tif 000009
【図８】
2015018999.tif 000010
【図９】
2015018999.tif 000011
【図１０】
2015018999.tif 000012
【図１１】
2015018999.tif 000013
【図１２】
2015018999.tif 000014
【図１３】
2015018999.tif 000015
【図１４】
2015018999.tif 000016
【図１５】
2015018999.tif 000017